(57)【要約】【課題】  構成かつ低コストで、コスト上昇や騒音、消費電力の増大という問題のない記録紙反転を行える装置を構成する。【解決手段】  当接せずかつ逆方向回転している反転ローラ対２０、２１間で、搬送路である中間トレイ１２を移動可能な構成とし、中間トレイ１２とローラ２０または２１が当接することにより用紙の搬送を行う。用紙の進入時には進入方向に回転しているローラ２０と中間トレイ１２が当接することにより用紙を反転搬送路に搬送し、用紙後端が所定の反転位置に達したときに、中間トレイ１２を移動させ、反転搬送方向に回転しているローラ２１に当接させることにより用紙の反転を行わせる。中間トレイ１２の移動駆動手段としてソレノイドを用い得る。用紙を反転するためのローラ対の駆動源としては、ＤＣモータ等の安価なモータを使用することができ、構成を簡単化し、低コスト化が可能である。【選択図】        図２
2007022736.tif 000002
【特許請求の範囲】
【請求項１】
記録紙を搬送する記録紙搬送路に設けられて搬送される記録紙を反転して再送する反転手段を有する記録紙反転装置において、記録紙を反転させるための互いに当接しないローラ対と、前記ローラ対間を移動可能な記録紙搬送路を有し、搬送方向を切り換えるために前記記録紙搬送路を移動させる移動手段を有することを特徴とする記録紙反転装置。
【請求項２】
請求項１に記載の記録紙反転装置において、前記移動手段がソレノイドを有することを特徴とする記録紙反転装置。
【請求項３】
請求項１に記載の記録紙反転装置において、前記記録紙搬送路を、前記互いに当接しないローラ対の中間位置に保持可能としたことを特徴とする記録紙反転装置。
【請求項４】
請求項３に記載の記録紙反転装置において、前記移動手段がステッピングモータを有することを特徴とする記録紙反転装置。
【請求項５】
請求項１から４のいずれかに記載の記録紙反転装置において、前記記録紙搬送路の前記ローラ対のローラへの当接面が摺動部材からなることを特徴とする記録紙反転装置。
【請求項６】
請求項５に記載の記録紙反転装置において、前記摺動部材が導電性を有することを特徴とする記録紙反転装置。
【請求項７】
請求項１から５のいずれかに記載の記録紙反転装置において、前記記録紙搬送路が導電性部材からなることを特徴とする記録紙反転装置。
【請求項８】
請求項１から７のいずれかに記載の記録紙反転装置において、前記ローラ対が導電性部材からなることを特徴とする記録紙反転装置。
【請求項９】
請求項１から８のいずれかに記載の記録紙反転装置において、反転させた記録紙の搬送路中に除電部材を設けてなることを特徴とする記録紙反転装置。
【請求項１０】
請求項１から９のいずれかに記載の記録紙反転装置を備えたことを特徴とする画像形成装置。
【請求項１１】
請求項１から９のいずれかに記載の記録紙反転装置を備えたことを特徴とする電子写真複写機。
【請求項１２】
請求項１から９のいずれかに記載の記録紙反転装置を備えたことを特徴とするレーザービームプリンタ。
【請求項１３】
請求項１から９のいずれかに記載の記録紙反転装置を備えたことを特徴とするファクシミリ。
【請求項１４】
請求項１から９のいずれかに記載の記録紙反転装置を備えたことを特徴とするスキャナ。
【発明の詳細な説明】
【技術分野】
【０００１】
本発明は、電子写真複写機、レーザービームプリンタ、ファクシミリ、スキャナ、これらの複合機等の画像形成装置に用いる記録紙反転装置に関する。
【背景技術】
【０００２】
従来、このような記録紙反転装置においては、一対の正逆転ローラにより用紙の反転搬送を行い、生産性低下を改善するため正逆転ローラの一方のローラを接離可能な構成とすることがなされている。
【０００３】
この構成とすることにより、反転搬送路内で用紙が重なり合って搬送することを許容できるため、連続搬送される用紙の間隔を小さくすることが可能になっている。
【発明の開示】
【発明が解決しようとする課題】
【０００４】
しかしながら、用紙サイズが大きくなるにしたがって用紙が重なり合って搬送される距離が長くなり、用紙搬送が不安定になりやすくなる。また、重なり合って搬送するために、画像への影響も懸念されるため、どうしても用紙間隔を小サイズ用紙並の重なり合いに押さえる必要がある。このため、大サイズの用紙ほど生産性が低下してくることになる。
【０００５】
これを改善するためには、反転部での増速が必要になり、かつモータの高精度な増減速が必要になり、結果としてコスト上昇や騒音、消費電力の増大という問題を引き起こしてしまう。
【０００６】
そこで本発明は、前記問題を解決し得る簡単な構成かつ低コストな記録紙反転装置を提供することを目的とする。
【課題を解決するための手段】
【０００７】
本発明の請求項１に係る記録紙反転装置は、記録紙を搬送する記録紙搬送路に設けられて搬送される記録紙を反転して再送する反転手段を有する記録紙反転装置において、記録紙を反転させるための互いに当接しないローラ対と、前記ローラ対間を移動可能な記録紙搬送路を有し、搬送方向を切り換えるために前記記録紙搬送路を移動させる移動手段を有することを特徴とする。
【０００８】
同請求項２に係るものは、請求項１に記載の記録紙反転装置において、前記移動手段がソレノイドを有することを特徴とする。
【０００９】
同請求項３に係るものは、請求項１に記載の記録紙反転装置において、前記記録紙搬送路を、前記互いに当接しないローラ対の中間位置に保持可能としたことを特徴とする。
【００１０】
同請求項４に係るものは、請求項３に記載の記録紙反転装置において、前記移動手段がステッピングモータを有することを特徴とする。
【００１１】
同請求項５に係るものは、請求項１から４のいずれかに記載の記録紙反転装置において、前記記録紙搬送路の前記ローラ対のローラへの当接面が摺動部材からなることを特徴とする。
【００１２】
同請求項６に係るものは、請求項５に記載の記録紙反転装置において、前記摺動部材が導電性を有することを特徴とする。
【００１３】
同請求項７に係るものは、請求項１から５のいずれかに記載の記録紙反転装置において、前記記録紙搬送路が導電性部材からなることを特徴とする。
【００１４】
同請求項８に係るものは、請求項１から７のいずれかに記載の記録紙反転装置において、前記ローラ対が導電性部材からなることを特徴とする。
【００１５】
同請求項９に係るものは、請求項１から８のいずれかに記載の記録紙反転装置において、反転させた記録紙の搬送路中に除電部材を設けてなることを特徴とする。
【００１６】
同請求項１０に係る画像形成装置は、請求項１から９のいずれかに記載の記録紙反転装置を備えたことを特徴とする。
【００１７】
同請求項１１に係る電子写真複写機は、請求項１から９のいずれかに記載の記録紙反転装置を備えたことを特徴とする。
【００１８】
同請求項１２に係るレーザービームプリンタは、請求項１から９のいずれかに記載の記録紙反転装置を備えたことを特徴とする。
【００１９】
同請求項１３に係るファクシミリは、請求項１から９のいずれかに記載の記録紙反転装置を備えたことを特徴とする。
【００２０】
同請求項１４に係るスキャナは、請求項１から９のいずれかに記載の記録紙反転装置を備えたことを特徴とする。
【発明の効果】
【００２１】
本発明は、構成かつ低コストで、コスト上昇や騒音、消費電力の増大という問題のない記録紙反転を行える。
【発明を実施するための最良の形態】
【００２２】
以下本発明を実施するための最良の形態を、図に示す実施例を参照して説明する。
【実施例１】
【００２３】
図１は、本発明の実施対象となる画像形成装置の用紙搬送経路を示す説明図である。図１に示す画像形成装置は、装置本体の下部に２段の給紙カセット１ａ、１ｂが配置され、給紙指令が発せられると、一方の給紙カセット１より転写材としてのシート材が分離給送手段２によって１枚ずつ給紙される。給紙されたシート材は、グリップローラ対３を通過し、再給紙搬送路との合流地点の中間ローラ対４を経てレジストローラ対５に達する。なお、分離給送手段２、グリップローラ対３、中間ローラ対４及びレジストローラ対５は、それぞれクラッチ、ステッピングモータ等により単独で駆動できるように構成されている。
【００２４】
図中６は像担持体としての感光体ドラムであり、この感光体ドラム６上には公知の電子写真プロセスによってトナー像が形成され、給送されたシート材はレジストローラ対５によりこのトナー像に同期して感光体ドラム６の転写位置に搬送され、そしてトナー像が転写される。転写を終えたシート材は、定着装置７に搬送され、ここでトナー像がシート材に定着される。
【００２５】
画像形成を終えたシート材は、反転しない場合、そのままストレートに排紙ローラ９に搬送されて機外に排紙される。また、反転排紙若しくは両面コピーが選択されている場合は、分岐爪８の切り替えによりシート材は反転装置１０へ搬送される。
【００２６】
反転装置１０は、図１に示すように、スイッチバック路としての中間トレイ１２に通ずる反転往路１１と、中間トレイ１２から前記排紙ローラ９に通ずる反転復路１３とを有する。
【００２７】
そして、反転往路１１に送り込まれた用紙は、搬送ローラ対１４を経由して反転ローラ対１５、１６に挟まれ、その搬送作用により中間トレイ１２に送られる。この反転往路１１には、本例の場合、反転ローラ対１５、１６の上流側に入口センサ２２が設けられ、入口センサ２２が用紙の先端を検知すると、その検知をトリガとして互いに当接しない上スイッチバックローラ２０が用紙を受け入れる方向に回転駆動するとともに、下スイッチバックローラ２１は上スイッチバックローラ２０と逆方向に回転駆動を開始する。
【００２８】
中間トレイ１２は、図２、図３に示すように、上スイッチバックローラ２０と当接するようにスプリングで付勢されており、中間トレイ１２に進入してきた用紙は上スイッチバックローラ２０と中間トレイ１２が当接することによって生じる搬送作用により搬送され、用紙後端が反転ローラ対１５、１６を抜けた後、所定の反転位置まで搬送される。そして、用紙が所定の反転位置まで搬送されると、中間ガイド板１２の接離駆動源としてのソレノイドを駆動させ、図４、図５で示すように中間トレイ１２を下スイッチバックローラ２１と当接させる。下スイッチバックローラは上スイッチバックローラとは逆方向の回転をしているため、用紙が中間トレイ１２と下スイッチバックローラ２１に挟まれると、用紙は反転搬送され、中間トレイ１２より排出される。
【００２９】
また反転復路には反転ローラ対１６、１７の後流側に出口センサ２７が設けられており、用紙先端を出口センサ２７が検知すると、ソレノイド駆動を解除することにより中間トレイ１２が初期位置に移動され、次給紙が中間トレイ１２に進入可能となる。中間トレイ１２に続いて設けられた切り換え爪２３により反転排出する場合と、両面コピーする場合とで搬送方向が切り換えられる。切り換え爪２３が図１及び図２、図４の実線で示す位置にあるとき、スイッチバックされる用紙は反転ローラ１６、１７により反転復路を搬送され、図１に示す搬送ローラ対２４、１４を介し、排紙ローラ９に搬送されて機外に排紙される。
【００３０】
また切り換え爪２３が図１および図２、図４の鎖線で示す位置にあるとき、用紙は反転ローラ１７によって送られ、中間トレイ１２の下方に設けられた再給紙搬送路２５、中間ローラ対４を経てレジストローラ対５へ送られる。そして、用紙の裏面に画像形成の終えると機外に排紙される。
【実施例２】
【００３１】
中間トレイ１２の接離駆動源として図６〜図８に示すステッピングモータ２８を用いることができる。ステッピングモータ２８は、タイミングベルト２９を介して偏心カム３０を回転駆動させることにより中間トレイ１２を接離させる。用紙受入時には図６で示す位置に回転駆動させ、用紙反転時には図７で示す位置に回転駆動させる。反転された用紙先端を出口センサ２７で検知すると、図８、図９で示す位置に中間トレイ１２を移動させる。このとき中間トレイ１２はどのスイッチバックローラにも当接していないため、用紙後端がスイッチバックローラを完全に抜けきる前に、次用紙がスイッチバックローラに進入できるため、大サイズ用紙においても小サイズ用紙と同等の用紙紙間を維持することができるため生産性の低下を低減できる。
【実施例３】
【００３２】
中間トレイ１２を直接スイッチバックローラ２０、２１に当接させるため、従来のローラ対による搬送に比べて、摩擦抵抗が大きくなってしまうため、搬送精度が低下したり、画像こすれによる異常画像の発生が懸念される。そこで、図１０で示すように中間トレイ１２のスイッチバックローラ２０、２１との当接部を摺動部材２６で構成するとよい。これにより前記不具合の解決が図れるとともに、スイッチバックローラ２０、２１の摩耗を低減することができ高寿命化が図れる。
【００３３】
なお本実施例では、中間ガイド１２の駆動源としてステッピングモータを用いたが、より安価なソレノイドを用いても良い。
【００３４】
また摺動部材２６に導電性を有するものを用いることで、中間トレイ１２で搬送する際の用紙の摩擦帯電を防止し、用紙の貼り付き等の搬送負荷増大による搬送不具合や、第２面印刷時の異常画像の発生を防止することができる。
【００３５】
また中間トレイ１２を導電性部材で構成することにより、用紙の貼り付き等の搬送不具合や、第２面印刷時の異常画像の発生も防止することができる。
【００３６】
さらに、電子写真画像形成においては、ローラ対で用紙を搬送しているローラ当接部でも帯電による異常画像が発生する場合がある。そこで、スイッチバックローラ２０、２１を導電性部材で構成することにより、ローラ当接部の異常画像の発生をも防止することができる。
【００３７】
さらに、中間トレイ１２の搬送路中に入口除電ブラシを設けることにより、中間トレイ１２進入時の用紙の除電を行うとともに、反転搬送出口部にも出口除電ブラシを設けることにより、反転搬送時の用紙の除電を行うようにすれば、反転時の搬送不具合、及び異常画像の発生を防止することができる。
【００３８】
なお本発明が、電子写真複写機、レーザービームプリンタ、ファクシミリ、スキャナ、これらの複合機等の画像形成装置、あるいはこれらと類似の装置に用いる記録紙反転装置に適用できることは以上の説明から明らかであろう。
【００３９】
すなわち本発明では、当接せずかつ逆方向回転している反転ローラ対間で搬送路を移動可能な構成とし、搬送路とローラが当接することにより用紙の搬送を行う。詳しくは、用紙の進入時には進入方向に回転しているローラと搬送路が当接することにより用紙を反転搬送路に搬送し、用紙後端が所定の反転位置に達したときに、搬送路を移動させ、反転搬送方向に回転しているローラに当接させることにより用紙の反転を行わせるものである。また搬送路の移動駆動手段としてソレノイドを用い得る。用紙を反転するためのローラ対の駆動源としては、ＤＣモータ等の安価なモータを使用することができ、構成を簡単化し、低コスト化が可能である。
【００４０】
また反転された用紙の先端が反転ローラより1つ下流のローラ対に挟持された後に、移動可能な搬送路を反転ローラ対の中間位置に保持することにより、後続用紙が反転搬送路内に進入可能となるため用紙をすれ違いさせながら反転できるため、生産性の低下（特に大サイズ用紙）を低減できる。搬送路の移動のための駆動手段として安価なステッピングモータを用いることにより、複雑な機構を用いることなく容易に搬送路の移動、及び中間位置への保持が可能となる。移動可能な反転搬送路の反転ローラとの当接面を摺動部材で構成することにより、搬送負荷を低減し、第１面の画像コスレ等の異常画像を低減することができる。
【００４１】
また移動可能な反転搬送路の摺動性部材が導電性を有することにより、当接面での摩擦帯電を防止し、第２面印刷時の異常画像を防止することができる。移動可能な反転搬送路全体を摺動性部材で構成することにより、反転搬送路内での搬送負荷を低減し、安定した反転搬送が可能となるとともに、第２面印刷時の異常画像を防止することができる。さらに、反転ローラ対を導電性部材で構成することにより、用紙搬送中の帯電を防止し、第２面印刷時の異常画像を防止することができる。そして、反転搬送路中に除電ブラシ等の除電部材を設けることにより、反転部での用紙の貼りつきによる搬送不具合、及び第２面印刷時の異常画像を防止することができる。
【００４２】
そして、これらの反転装置により、簡単な構成で高生産性を達成することができるとともに、低コスト、省電力な画像形成装置を提供することができる。そして、その画像形成装置を電子写真複写機、プリンタ、ファクシミリ、スキャナあるいはこれらと類似の装置、これらの複合装置に用いることにより、高生産、低コスト、省電力なスキャナを提供することができる。
【図面の簡単な説明】
【００４３】
【図１】画像形成装置の構成概略図
【図２】本発明の第１実施例に係る記録紙反転装置の構成概略図（用紙進入時）
【図３】図２の横断面説明図
【図４】図２の記録紙反転装置の構成概略図（用紙反転時）
【図５】図４の横断面説明図
【図６】本発明の第１実施例に係る記録紙反転装置の用紙受入時の説明図
【図７】同じく用紙反転搬送時の説明図
【図８】同じく用紙すれ違い時の説明図
【図９】図８の横断面説明図
【図１０】本発明の第１実施例に係る記録紙反転装置の説明図
【符号の説明】
【００４４】
１：給紙カセット
２：分離給送手段
３：グリップローラ
４：中間ローラ
５：レジストローラ
６：感光体ドラム
７：定着装置
８：分岐爪
９：排紙ローラ
１０：反転装置
１１：反転往路
１２：中間トレイ
１３：反転復路
１４：搬送ローラ
１５：反転上ローラ
１６：反転中ローラ
１７：反転下ローラ
１８：スプリング
１９：ソレノイド
２０：上スイッチバックローラ
２１：下スイッチバックローラ
２２：入口センサ
２３：切り換え爪
２４：搬送ローラ
２５：再給紙搬送路
２６：摺動部材
２７：出口センサ
２８：ステッピングモータ
２９：タイミングベルト
３０：偏心カム
【図１】
2007022736.tif 000003
【図２】
2007022736.tif 000004
【図３】
2007022736.tif 000005
【図４】
2007022736.tif 000006
【図５】
2007022736.tif 000007
【図６】
2007022736.tif 000008
【図７】
2007022736.tif 000009
【図８】
2007022736.tif 000010
【図９】
2007022736.tif 000011
【図１０】
2007022736.tif 000012